(57)【要約】【課題】映画撮影の撮像装置は多くの機材の組み合わせを調整しながら組み上げる為、設置時間が多くかかる。【解決手段】レンズの支持部材に姿勢検出手段、位置検出手段を備え、取り付け対象のレンズ、撮像装置の情報を元に最適な、組みつけ位置を演算し、結果を表示部で表示することを特徴とする構成とした。【選択図】  図１
2014235204.tif 000002
【特許請求の範囲】
【請求項１】
レンズを支持するレンズ支持装置において、
レンズを含む撮像装置を保持する筐体構造の連結手段と、
連結手段の高さを調整する調整手段と、
レンズ支持部材の姿勢を検出する姿勢検出手段と、
レンズ支持部材の変位を検出する変位検出手段と、
所定のレンズ情報を授受する通信手段と、
通信手段や姿勢検出手段、変位検出手段からの情報の演算手段と、
レンズ支持装置の所定の作業に対する表示を行うことを特徴とするレンズ支持装置。
【請求項２】
複数のレンズ情報の記憶手段と、記憶手段の切り替えを行う切替手段とを有し、レンズ情報に付随する位置情報の表示を行うことを特徴とする請求項１に記載のレンズ支持装置。
【請求項３】
レンズ操作に対応する変位出力を送受する通信手段を有し、所定の変位出力を外部送信する送信手段による送信を行うことを特徴とする請求項１又は請求項２に記載のレンズ支持装置。
【発明の詳細な説明】
【技術分野】
【０００１】
本発明はレンズ支持装置に関するもので、特にレンズ支持装置に位置検出手段や通信手段を有するものである。
【背景技術】
【０００２】
超望遠撮影を行うレンズや、映画撮影などに用いられるレンズでは、レンズ本体の質量が大きく、カメラだけではなくレンズ自体も支持する事が一般的である。
【０００３】
特に映画撮影では主に撮影後の編集に用いる意図で、レンズ周りに焦点調整、変倍、絞りを駆動する駆動装置や、それらの変位検出を行う変位検出装置を装着して撮影が為される。  
【０００４】
特許文献１では、レンズ支持部材を用いて上述のレンズ、及び周辺装置を構成する、ロッドを用いたレンズ支持方法が記載されており、レンズに対して複数の組み合わせに対応する撮像装置の固定方法が示されている。
【先行技術文献】
【特許文献】
【０００５】
【特許文献１】欧州特許出願公開第１７０８０２０号明細書
【発明の概要】
【発明が解決しようとする課題】
【０００６】
特許文献１で提示されるようなロッドを用いた撮影システムは、特に映画の撮影において代表的に使用されている。
【０００７】
映画撮影用の機材は撮影の為の周辺機材を数多く必要とする。フィルター効果や遮光効果の為のマットボックスや焦点調整操作の為の操作部材、或いは遠隔操作用の電動操作部材など、それら全ての撮影機材を組み上げ調整に時間を要してしまう。
【０００８】
また映画撮影では、撮影後の後処理工程が必須であり、撮影時におけるレンズ情報を精度よく検出できる外部装置をレンズに装着する事でこれに対応している為、一層組み上げ、調整に時間を要してしまう。
【０００９】
近年映画撮影用の機材は元来の映画だけでなくCMやドラマの撮影にも用いられており、撮影費用全体のダウンサイジングが進む中、撮影機材の組み上げ時間の多さは、相対的に時間コストの面で大きな課題になってきている。
【００１０】
特に映画撮影の機材はその撮影スタイルとして画質に拘った撮影を行う為、状況に見合ったレンズを交換するが、その度に組み上げ・調整を行う為、総合的に組み上げに時間を割いてしまう事が不可避であった。
【００１１】
そこで、本発明の目的は、レンズを含む撮像装置を組み上げる時間を削減する一方で、撮影データの後処理に必須の情報も簡便に取得することのできるレンズ支持装置を提供することである。
【課題を解決するための手段】
【００１２】
上記目的を達成するために本発明は、レンズ支持装置においてレンズの光軸周りの回動が自在のレンズ支持手段と、撮像装置を保持する筐体の取り付け手段と、所定のレンズ情報を授受する通信手段と、レンズ支持部材の筐体位置、姿勢変位の検出手段と、レンズ支持手段の位置を表示する表示手段を有し、レンズ支持装置の組み上げの最適位置状態を表示できることを特徴とする。
【発明の効果】
【００１３】
本発明によれば、レンズ支持部材が映画撮影における組み上げの汎用性を確保しつつ、装着時間を短縮する事が可能で、後処理に必須のレンズ情報も取得可能なレンズ支持装置を提供することができる。
【図面の簡単な説明】
【００１４】
【図１】本発明の第一の実施例であるレンズ支持装置及び撮像装置の概略図
【図２】第一の実施例におけるレンズ支持装置の斜視図、及び調整表示拡大図
【図３】ダミーレンズの詳細構成図
【図４】レンズ支持部材を含む撮像装置を組み上げ、初期化を行う段階のフロー図
【図５】レンズ支持部材を含む撮像装置の質量取得の初期化姿勢の説明図
【図６】バランス調整を行う段階のフロー図
【図７】撮像装置が撮像装置支持手段に設置された状態の説明図
【図８】レンズ支持部材の側面図
【図９】レンズ装着を行う手順を示す説明図
【図１０】第２の実施例におけるレンズ支持手段の構成説明図
【図１１】異なるレンズ装着を行う際のレンズ支持手段の位置調整方法のフロー説明図
【図１２】レンズ支持手段の撮像装置における位置関係の説明図
【図１３】第３の実施例におけるレンズ支持手段の構成説明図
【図１４】通信手段を内包したレンズの構成説明図
【図１５】着脱される通信手段の構成説明図
【発明を実施するための形態】
【００１５】
以下に、本発明の好ましい実施の形態を、添付の図面に基づいて詳細に説明する。
【００１６】
図１は、本発明の実施形態に関わるレンズ支持装置の構造説明図であり、図２（ａ）は本発明の斜視図であり、図２（ｂ）は、上記レンズ支持部材の調整に関する要部拡大図である。また、図３はダミーレンズの構成図である。
【００１７】
［実施例１］
以下、図１から図３を参照して、本発明の第1の実施例による、位置検出手段、及び通信手段を有するレンズ支持装置について説明する。
【００１８】
図１に示すように、１はレンズ支持部材、２はカメラ、３はカメラ支持台、４はカメラ支持台に複数敷設される支柱、５はレンズ支持部材１の位置決めの為の固定部、６はレンズ本体の諸情報を有するダミーレンズである。
【００１９】
図２（ａ）に示すレンズ支持部材１の要部では、７は固定部５の高さを調節する調整部材、８はダミーレンズ固定部材、９はダミーレンズ６との通信部、１０は後述の調整設定部である。
【００２０】
図２（ｂ）に示す調整設定部１０の主要構成として、１１は点灯により調整状態を示す表示部、１２は調整設定のトリガとなる演算操作部、１３はレンズ支持部材１を支柱４上の最適位置に移動する際に、最適位置を表示部１１にて表示させる為の調整操作部である。
【００２１】
また図３に示すように、ダミーレンズ６上に敷設される１４は母体となるレンズと同一のマウント部、１５はダミーレンズ固定部材８の案内部、１６は不図示のレンズ情報記憶部１７とレンズ支持部材１との通信の為の接点を成す通信部である。
【００２２】
レンズ情報記憶部１７には複数のレンズ情報が記憶され、記憶された所定のレンズを選択的に決定する切替部１８を有し、更に後述する圧力検知部１９が敷設される事で構成されている。
【００２３】
更にレンズ支持部材１には後述する機能の為の電源部２０（不図示）を有し、カメラ２とは異なった電力を用いて動作する事が可能である。
【００２４】
またレンズ支持部材１には姿勢検出手段２２、及び位置検出手段２３（何れも不図示）も内包され、後述のバランス調整における姿勢検出、位置調整におけるカメラに対する位置検出が可能となっている。
【００２５】
次に本提案におけるレンズ支持部材１を用いた撮像装置の組み上げについて、撮像装置の質量に関する初期化、撮影状態のバランス調整、及びレンズ支持最適位置調整の三つのフローに分けて詳述する。
【００２６】
初期化に関しては図４及び図５を、バランス調整に関しては図６及び図７を、レンズ支持最適位置調整については図６から図９を用いて以下に詳述する。
【００２７】
図４はレンズ支持部材１を含む撮像装置を組み上げ、初期化を行う段階のフロー図であり、図５はレンズ支持部材１を含む撮像装置の質量取得の初期化姿勢の説明図である。
【００２８】
レンズ支持部材１にダミーレンズ６を装着しレンズ固定部材８で一体に固定（０１０１）、カメラ２にはカメラ支持台３、及び複数の支柱４を組みつける（０１０２）。
【００２９】
その後図５の矢印A方向の向きが鉛直下方となる姿勢で、ダミーレンズ６とカメラ２を、それぞれの軸高さを高さ調整部材７で合致させ装着する（０１０３）。
【００３０】
その後に電源を投入すると（０１０４）、ダミーレンズ６に記憶され、切替部１８に対応したレンズ情報（０１０５）がダミーレンズ６の通信部１６、レンズ支持部材１の通信部９を介してレンズ支持部材１に記憶される（０１０６）。
【００３１】
支柱４に対しレンズ支持部材１の固定部５を効かせない状態にすると、矢印A方向にレンズ支持部材１、及びダミーレンズ６以外の質量が圧力検知部１９に印加することとなる。
【００３２】
この時演算操作部１２を押すこと（０１０７）で、圧力検知部の値からカメラ２を含む撮像装置全体の質量が計測され、レンズ支持部材１に記憶（０１０８）、初期化フローが完了する（０１０９）。
【００３３】
次に、撮影者が撮像装置の操作を行う際に最適な重心バランスをとる為の、バランス調整フローについて説明する。
【００３４】
図６はバランス調整を行う段階のフロー図であり、図７はレンズ支持部材１を含む撮像装置が撮像装置支持手段２１に設置された状態の説明図である。
【００３５】
初期化の際と異なり撮像装置全体は図７に示す向きで、三脚等の撮像装置支持手段２１へ装着する。
【００３６】
撮像装置支持手段２１は、これを支持される撮像装置全体を操作する際に、重心のバランスがとられる事がスムースな操作に必須である為、撮影者は撮像装置支持手段２１のバランス調整部２１で図６の矢印B方向に撮像装置全体の位置バランスを調整する。
【００３７】
その際、レンズ支持部材１上の演算操作部１２を押すと（０１１０）、先の手順（０１０６）にて記憶されたカメラを含む装置の質量と、ダミーレンズ６に記憶されているレンズ質量情報を用いて最適重心位置の演算が開始される（０１１１）。
【００３８】
撮像装置支持手段２１に対して撮像装置全体を所定の位置に固定し、撮像装置支持手段２１の縦回転方向（図７の矢印C方向）の操作を行うと、レンズ支持部材１に内包された姿勢検出手段２２によって操作時の挙動を検出する事が出来る。
【００３９】
この時の挙動は、ダミーレンズ６が本来のレンズが装着された適切な重心バランスに対して質量が不足する分だけ、バランスが崩れた挙動を示す。
【００４０】
レンズ情報記憶部１７にはダミーレンズ６に所定の質量が加わった際に、縦回転方向の操作が行われた時の操作時間における姿勢変化のデータが記憶されており、縦回転方向の操作時に姿勢変化の挙動と記憶データとの照合が行われる（０１１２→０１１１）。
【００４１】
データ照合結果が、撮像装置の重心バランスが取れる際の姿勢変化の挙動に所定の閾値の中で合致すると、表示部１１を点灯させ撮影者に重心バランスの調整が良好に完了した事を示す事が出来る（０１１３）。
【００４２】
続いて撮影者は撮影レンズを装着する為のレンズ支持部材１の位置調整を行う。
【００４３】
レンズ固定部材８の固定を解除し、レンズ支持部材１、及びカメラ２からダミーレンズ６を取り外す（０１１４）。
【００４４】
次にレンズ支持部材１上の調整操作部１３を操作すると（０１１５）、先の手順（０１０６）で記憶されたレンズ情報から、上述の調整時のレンズ支持部材１とカメラ２との相対位置を基準として、レンズ支持部材１が装着対象のレンズを支持する最適位置の情報を読み出す。
【００４５】
その後図８に示すように、レンズ支持部材１の位置調整を行うと（０１１６→０１１７）、レンズ支持部材１が支柱４上でレンズ本体２４を支える最適な位置で表示部１１を用いて撮影者がこの位置を判別可能とし、位置調整作業を完了する（０１１８）。
【００４６】
上述の段取りを経て、撮影者はレンズ本体２４をカメラ２に装着する。この時のレンズ装着手順を、図９（ａ），（ｂ），（ｃ）を用いて説明する。
【００４７】
レンズはカメラに対して様々な取り付けインターフェイスを有しており、レンズの姿勢は一定のままカメラに装着する方式や、カメラの姿勢は一定のままレンズを捻って装着する方式があるが、レンズ支持部材１はその何れの装着方式にも対応している。
【００４８】
本実施例ではレンズを捻って装着する方式に基づいて説明を行う。
【００４９】
図９（ａ）に示すようにレンズ本体２４は先述の位置調整を完了したレンズ支持部材１に対して搭載し（０１１９）、図９（ｂ）のようにカメラ２に対して挿入、図９（ｃ）のようにレンズ本体２４を捻る事でカメラ２に対して装着（０１２０）、続いてレンズ固定部材８でレンズ支持部材１とレンズ本体２４の固定を行い、撮像装置の装着を完了する（０１２１）。
【００５０】
以上説明したように、姿勢検出手段と位置検出手段を有したレンズ支持部材を用いる事で、レンズ本体の装着を行うことなく撮像装置の操作バランスを調整し、レンズ装着時に最適な位置にレンズ支持部材を設定する構造を提供する事が可能となる。
【００５１】
上述の実施例に拠れば、本体の質量が大きく撮影者が撮像装置全体の組みつけを行う際の負担を軽減しつつ、レンズ装着時のレンズ支持部材、及びカメラ位置と操作時のバランスを予め軽量なダミーレンズを用いる事で確実に設定する事が可能となる効果が得られる。
【００５２】
［実施例２］
以下図１０から図１２を参照して、本発明の第２の実施例による、姿勢検出手段及び位置検出手段を有するレンズ支持装置について、実施例１と同一の構成内容に関しては同一の番号を用いて説明する。
【００５３】
図１０は第２の実施例におけるレンズ支持手段の構成説明図、図１１は異なるレンズ装着を行う際のレンズ支持手段の位置調整方法のフロー説明図、図１２はこの時のレンズ支持手段の撮像装置における位置関係の説明図である。
【００５４】
図１０に示すように、２５はレンズ支持部材、２６は調整設定部、２７はレンズ情報表示部、２８はレンズ情報切替手段、その他は実施例１で詳述したレンズ支持部材１に敷設された構成を有している。
【００５５】
次に図１１を用いて、本提案におけるレンズ支持部材を用いた、一旦撮影に用いたレンズから異なるレンズを装着する場合の位置調整について以下に詳述する。
【００５６】
レンズ交換を行う為、レンズ支持部材２５からレンズを取り外す（０２０１）。
【００５７】
続いてレンズ支持部材２５に敷設されているレンズ情報切替手段２８を操作すると（０２０２）、レンズ支持部材２５に記憶されているレンズ情報に基づき、レンズ情報表示部２７へレンズ情報を表示する（０２０４→０２０３）。
【００５８】
撮影者が所望する、交換対象のレンズ情報が決定され（０２０５）、調整操作部１３を操作すると（０２０６）、交換対象のレンズに対するレンズ支持部材２５の最適の位置を目標値として、レンズ支持部材２５の位置に対する差分の演算を開始する（０２０８→０２０７）。
【００５９】
撮影者がレンズ支持部材２５の位置調整を続けると、レンズ本体２４を支える最適な位置で表示部１１への表示を行い、その位置でレンズ支持部材２５を支柱４に対して固定する事で、交換レンズに対する位置調整作業を完了する（０２０９）。
【００６０】
本実施例の構成に拠れば、撮影時に頻繁に生じるレンズ交換の際に、都度再調整を行うことなく、レンズ支持部材を交換対象のレンズに対する最適位置に速やかに位置調整できる構造を提供する事が可能となっている。
【００６１】
本実施例により、撮影レンズを交換する状況においても、レンズ支持部材を含めた撮像装置全体の調整時間を短縮することが可能となる効果が得られる。
【００６２】
［実施例３］
以下図１３から図１５を参照して、本発明の第３の実施例による、姿勢検出手段、位置検出手段及び通信手段を有するレンズ支持部材について、実施例１、及び２と同一の構成内容に関しては同一の番号を用いて説明する。
【００６３】
図１３は第３の実施例におけるレンズ支持手段の構成説明図、図１４は通信手段を内包したレンズの構成説明図、図１５は着脱される通信手段の構成説明図である。
【００６４】
図１３に示すように、２９はレンズ支持部材、３０はレンズとの情報を送受する通信手段、３１はレンズに関する所定の情報を外部に送信可能な送信部、その他は実施例１及び２で詳述したレンズ支持部材１または２５に敷設された構成を有している。
【００６５】
図１４には、レンズ本体３２のレンズ支持部材２９のレンズ装着部に相対する箇所で、通信手段３０と対になる通信部３３が敷設されている。
【００６６】
レンズ本体３２にはレンズの撮影操作に用いられる駆動部に関わる検出手段が設けられ、レンズ固有の基本情報、及びレンズ操作に応じて詳細な分解能の変位情報が、レンズ本体側の通信部３３、レンズ固定台側の通信部３０を介してレンズ固定台２９に渡される。
【００６７】
レンズ固定台２９に敷設された通信手段３１は有線、無線を問わず撮影行為に用いられる記録装置、外部表示装置などにレンズに関する情報を送付する。
【００６８】
また図１５に示す通り、通信手段３１はレンズ固定台２９に対して着脱可能となっており、通信規格や通信強度の変遷でより高い性能の通信手段が用意された場合に、換装することで常に高位の性能に対応する事が可能な構造となっている。
【００６９】
本実施例の構成に拠れば、通常撮影レンズのレンズ情報を取得する際に、レンズ本体以外に検出手段、情報送信手段を別に装着、調整することなく、所望のレンズ情報を記録媒体や外部表示手段へ送信できる構造を提供する事が可能となっている。
【００７０】
本実施例により、撮影レンズのレンズ情報が必要な撮影状況においても、レンズ支持部材を含めた撮像装置全体の組上げ時間を増大させることなく、レンズに関する情報を簡便に送信ことが可能となる効果が得られる。
【００７１】
以上、本発明の好ましい実施形態について説明したが、本発明はこれらの実施形態に限定されず、その要旨の範囲内で種々の変形及び変更が可能である。
【００７２】
放送機器製品における姿勢検出手段、位置検出手段、及び通信手段を有するレンズ支持装置として利用される。
【符号の説明】
【００７３】
１、２５、２９    ：  レンズ支持部材
２  ：  カメラ
３  ：  カメラ支持台
４  ：  支柱
５  ：  レンズ支持部材固定部
６  ：  ダミーレンズ
７  ：  高さ調整部材
８  ：  ダミーレンズ固定部材
９  ：  ダミーレンズ通信部
１０、２６  ：  調整設定部
１１  ：  表示部
１２  ：  演算操作部
１３  ：  調整操作部
１４  ：  マウント部
１５  ：  案内部
１６、３０  ：  通信部
１７  ：  レンズ情報記憶部
１８  ：  切替部
１９  ：  圧力検知部
２０  ：  電源部
２１  :  撮像装置支持手段
２２  ：  姿勢検出手段
２３  ：  位置検出手段
２４、３２  ：  レンズ本体
２７  ：  レンズ情報表示部
２８  ：  レンズ情報切替手段
３１  ：  送信部
３３  ：  レンズ本体通信部
【図１】
2014235204.tif 000003
【図２】
2014235204.tif 000004
【図３】
2014235204.tif 000005
【図４】
2014235204.tif 000006
【図５】
2014235204.tif 000007
【図６】
2014235204.tif 000008
【図７】
2014235204.tif 000009
【図８】
2014235204.tif 000010
【図９】
2014235204.tif 000011
【図１０】
2014235204.tif 000012
【図１１】
2014235204.tif 000013
【図１２】
2014235204.tif 000014
【図１３】
2014235204.tif 000015
【図１４】
2014235204.tif 000016
【図１５】
2014235204.tif 000017